(57)【特許請求の範囲】
【請求項１】
接続要求信号の送信に用いた規定数以下のサブキャリアと同数のサブキャリアを用いて接続確立以降の信号を送信する移動局装置と無線通信を行う基地局装置であって、
前記接続要求信号のサブキャリアの数を検出するサブキャリア数検出手段と、
前記規定数のサブキャリアに対応する幅可変の通過帯域を有し、該通過帯域に含まれる前記移動局装置の信号を受信信号から分離する帯域通過フィルタと、
前記サブキャリア数検出手段により検出された前記接続要求信号のサブキャリアの数に応じて、前記接続確立以降の前記帯域通過フィルタの通過帯域幅を制御する帯域幅制御手段と、
を含むことを特徴とする基地局装置。
【請求項２】
請求項１に記載の基地局装置において、
前記サブキャリア数検出手段は、前記接続要求信号とともに受信された信号に基づいて、前記接続要求信号のサブキャリアの数を検出する、
ことを特徴とする基地局装置。
【請求項３】
請求項２に記載の基地局装置において、
前記サブキャリア数検出手段は、前記接続要求信号とともに受信された信号における各サブキャリア成分の強度に基づいて、前記接続要求信号のサブキャリアの数を検出する、
ことを特徴とする基地局装置。
【請求項４】
請求項１から３のいずれかに記載の基地局装置において、
前記基地局装置は、直交周波数分割多重方式により前記移動局装置と通信する、
ことを特徴とする基地局装置。
【請求項５】
接続要求信号の送信に用いた規定数以下のサブキャリアと同数のサブキャリアを用いて接続確立以降の信号を送信する移動局装置と無線通信を行う基地局装置における受信帯域制御方法であって、
前記接続要求信号のサブキャリアの数を検出するステップと、
前記検出された前記接続要求信号のサブキャリアの数に応じて、前記規定数のサブキャリアに対応する幅可変の通過帯域を有し該通過帯域に含まれる前記移動局装置の信号を受信信号から分離する帯域通過フィルタの、前記接続確立以降の通過帯域幅を制御するステップと、
を含むことを特徴とする受信帯域制御方法。
【発明の詳細な説明】
【技術分野】
【０００１】
本発明は、基地局装置および受信帯域制御方法に関し、特に、複数のサブキャリアを用いるマルチキャリア通信方式に関する。
【背景技術】
【０００２】
移動通信システムでは、一般に、基地局の送信出力が移動局のそれより高く、また基地局のアンテナ高が移動局のそれより高い場合が多い。このため、移動局から基地局に送信される無線信号の到達距離（以下「上りリンクバジェット」という）は、基地局から移動局に送信される無線信号の到達距離（以下「下りリンクバジェット」という）よりも小さくなる傾向がある。
【０００３】
なお、特許文献１には、トラフィックチャネルより少ないサブキャリアを制御チャネルに割り当てることにより、周波数利用効率の低下と消費電力の増大を防ぐ基地局装置が開示されている。
【特許文献１】特許第３４８５８６０号
【発明の開示】
【発明が解決しようとする課題】
【０００４】
上記のとおり、従来の移動通信システムでは、上りリンクバジェットが下りリンクバジェットより小さい場合に、基地局の通信エリアが縮小するという問題があった。
【０００５】
本発明は、上記従来の課題に鑑みてなされたものであり、基地局装置の通信エリアを拡大することができる基地局装置および受信帯域制御方法を提供することを目的とする。
【課題を解決するための手段】
【０００６】
上記課題を解決するために、本発明に係る基地局装置は、接続要求信号の送信に用いた規定数以下のサブキャリアと同数のサブキャリアを用いて接続確立以降の信号を送信する移動局装置と無線通信を行う基地局装置であって、前記接続要求信号のサブキャリアの数を検出するサブキャリア数検出手段と、前記規定数のサブキャリアに対応する幅可変の通過帯域を有し、該通過帯域に含まれる前記移動局装置の信号を受信信号から分離する帯域通過フィルタと、前記サブキャリア数検出手段により検出された前記接続要求信号のサブキャリアの数に応じて、前記接続確立以降の前記帯域通過フィルタの通過帯域幅を制御する帯域幅制御手段と、を含むことを特徴とする。
【０００７】
本発明によれば、基地局装置が移動局装置の信号（所望信号）を受信信号から分離するための帯域通過フィルタの通過帯域幅を接続要求信号の送信に用いられたサブキャリアの数に応じて制御する。たとえば、接続要求信号の送信に用いられたサブキャリアの数が帯域通過フィルタの通過帯域幅に含まれうるサブキャリアの数より少ない場合、基地局装置は、接続要求信号の送信に用いられたサブキャリアの数に対応するよう帯域通過フィルタの通過帯域幅を縮小する。このため、帯域通過フィルタを通過する移動局装置の信号に含まれるノイズの割合が減少し、信号の受信品質（たとえば信号対雑音比）が向上する。すなわち、基地局装置の通信エリアを実質的に拡大することができる。
【０００８】
また、本発明の一態様では、前記サブキャリア数検出手段は、前記接続要求信号とともに受信された信号に基づいて、前記接続要求信号のサブキャリアの数を検出する。この態様では、前記サブキャリア数検出手段は、前記接続要求信号とともに受信された信号における各サブキャリア成分の強度に基づいて、前記接続要求信号のサブキャリアの数を検出してもよい。この態様によれば、接続要求信号の送信に用いられたサブキャリアの数について移動局装置から別途通知を受けることなく、基地局装置はそのサブキャリアの数を取得することができる。
【０００９】
また、本発明の一態様では、前記基地局装置は、直交周波数分割多重方式により前記移動局装置と通信する。この態様によれば、直交周波数分割多重方式を採用する移動通信システムにおいて、基地局装置の通信エリアを拡大することができる。
【００１０】
また、本発明に係る受信帯域制御方法は、接続要求信号の送信に用いた規定数以下のサブキャリアと同数のサブキャリアを用いて接続確立以降の信号を送信する移動局装置と無線通信を行う基地局装置における受信帯域制御方法であって、前記接続要求信号のサブキャリアの数を検出するステップと、前記検出された前記接続要求信号のサブキャリアの数に応じて、前記規定数のサブキャリアに対応する幅可変の通過帯域を有し該通過帯域に含まれる前記移動局装置の信号を受信信号から分離する帯域通過フィルタの、前記接続確立以降の通過帯域幅を制御するステップと、を含むことを特徴とする。
【発明を実施するための最良の形態】
【００１１】
以下、本発明の一実施形態を図面に基づいて詳細に説明する。
【００１２】
図１は、本発明の一実施形態に係る移動通信システム１０の全体構成図である。同図に示すように、移動通信システム１０は、基地局１２と複数の移動局１４（ここでは３つのみを示す）を含んで構成されている。
【００１３】
基地局１２は、ＴＤＭＡ／ＴＤＤ（Time Division Multiple Access/Time Division Duplex：時分割多元接続／時分割双方向通信）方式およびＯＦＤＭＡ（Orthogonal Frequency Division Multiple Access：直交周波数分割多元接続）方式により複数の移動局１４と多重通信を行う。
【００１４】
移動局１４は、たとえば可搬型の携帯電話機、携帯情報端末、または通信カードである。移動局１４には送信電力上限値が規定されており、上りリンクバジェットが不足する場合であってもこの上限値を超えて送信電力を上げることはできない。
【００１５】
移動通信システム１０には、基地局１２と移動局１４とが無線通信を行うための無線チャネルとして、基地局１２および複数の移動局１４の間で共通に用いられる共通チャネル（Common Channel：ＣＣＨ）と、基地局１２と各移動局１４との間で用いられる個別チャネル（Individual Channel：ＩＣＨ）と、が規定されている。これらの各無線チャネルは、互いに直交する複数のサブキャリアからなる１または複数のサブチャネルで構成される（図９参照）。ただし、１つの無線チャネルを構成するサブキャリアの数には上限が規定されている。なお、１つの無線チャネルが２以上のサブチャネルから構成される場合、それら２以上のサブチャネルは互いに隣接していてもよいし離間していてもよい。また、１つのサブチャネルを構成する複数のサブキャリアは、互いに隣接していてもよいし離間していてもよい。
【００１６】
ＣＣＨとＩＣＨには、それぞれ通信の各フェーズにおいて使い分けられる複数の機能チャネルが規定されている。たとえば、ＣＣＨには、ページングチャネル（Paging Channel：ＰＣＨ）、タイミング補正チャネル（Timing Correct Channel：ＴＣＣＨ）、シグナリング制御チャネル（Signaling Control Channel：ＳＣＣＨ）などが規定されている。ＩＣＨには、個別制御チャネル (Individual Control Channel：ＩＣＣＨ)や通信チャネル（Traffic Channel：ＴＣＨ）などが規定されている。
【００１７】
図２は、移動通信システム１０における着呼時のリンクチャネル確立処理を示すシーケンス図である。同図に示すように、着呼時には、基地局１２が、着呼を通知する呼出信号を通信エリア内に所在する移動局１４に対してＰＣＨで一斉送信される（Ｓ１００）。一方、自局宛の呼出信号を受信した移動局１４は、基地局１２に対してリンクチャネル確立を要求する接続要求信号をＴＣＣＨで送信する（Ｓ１０２）。
【００１８】
ここで、移動局１４の上りリンクバジェットが移動局１４から基地局１２までの距離よりも小さければ、Ｓ１０２で送信された接続要求信号は基地局１２に到達しない。この場合、移動局１４は、サブキャリアの数を減らすとともにサブキャリア当たりの送信電力を増やし（Ｓ１０４）、接続要求信号を再送する（Ｓ１０６）。これにより、移動局１４から送信される接続要求信号が基地局１２に到達しやすくなる。
【００１９】
Ｓ１０６で再送された接続要求信号が基地局１２に到達すると、基地局１２は、その接続要求信号の送信に用いられたＴＣＣＨのサブキャリア数を検出し、検出されたサブキャリア数に応じて受信帯域幅を変更する（Ｓ１０８）。ここでは、Ｓ１０６における基地局１２の受信帯域幅が検出されたＴＣＣＨのサブキャリア数に対して広いため、基地局１２は、以降の受信に適用する受信帯域幅を縮小する。その後、基地局１２は、その移動局１４に割り当てるＩＣＨを決定し、決定したＩＣＨを含む接続応答信号をＳＣＣＨで移動局１４に送信する（Ｓ１１０）。基地局１２からの接続応答信号を移動局１４が受信すると、基地局１２と移動局１４とのリンクチャネル確立は完了する。そして、移動局１４がＩＣＨの割り当てを確認するための割当確認信号を当該ＩＣＨ（ＩＣＣＨ）を用いて基地局１２に送信することにより（Ｓ１１２）、移動局１４と基地局１２との間でＩＣＨを用いた無線通信が開始される（Ｓ１１４）。
【００２０】
移動通信システム１０では、基地局１２に到達したＳ１０６の接続要求信号に係る送信条件（サブキャリア数とサブキャリア当たりの送信電力）が移動局１４によるＳ１１２以降の無線送信にも適用されるため、上りリンクバジェットが改善される。また、Ｓ１０８で縮小された基地局１２の受信帯域幅がその後も維持されるため、基地局１２における信号の受信品質が向上する。このようにして、移動通信システム１０は、基地局１２の通信エリア拡大を実現している。
【００２１】
以下では、上記処理を実現するために移動局１４および基地局１２が備える構成ついて詳細に説明する。
【００２２】
図３は、移動局１４の機能ブロック図である。同図に示すように、移動局１４は、アンテナ２０、送受信部２２、ＯＦＤＭ信号処理部２４（ＯＦＤＭ復調部２６、サブキャリア制御部２８、ＯＦＤＭ変調部３０）、および制御部３２（接続要求送信部３４、接続応答検出部３６、再送制御部３８、送信チャネル制御部４０、送信電力制御部４２）を含んで構成される。
【００２３】
アンテナ２０は、無線信号を受信し、受信した無線信号を送受信部２２に出力する。また、送受信部２２から供給される無線信号を基地局１２に対して放射する。無線信号の受信と送信は、送受信部２２の指示に基づいて時分割で切り替えられる。
【００２４】
送受信部２２は、ローノイズアンプ、パワーアンプ、局部発振器、ミキサ、およびフィルタを含んで構成される。アンテナ２０から入力される無線信号は、ローノイズアンプで増幅され、さらに中間周波数信号にダウンコンバートされた後、ＯＦＤＭ信号処理部２４に出力される。また、ＯＦＤＭ信号処理部２４から入力される中間周波数信号は、無線信号にアップコンバートされ、パワーアンプで送信出力レベルまで増幅された後、アンテナ２０に供給される。なお、パワーアンプでは、無線信号に含まれる各サブキャリアの送信電力が、後述する送信電力制御部４２から通知されるサブキャリア当たりの送信電力になるよう増幅される。
【００２５】
ＯＦＤＭ信号処理部２４は、ＯＦＤＭ復調部２６、サブキャリア制御部２８、およびＯＦＤＭ変調部３０を機能的に含む。
【００２６】
ＯＦＤＭ復調部２６は、Ａ／Ｄコンバータ、ＦＦＴ（Fast Fourier Transform：高速フーリエ変換）部、およびシンボルデマッパを含んで構成される。送受信部２２からＯＦＤＭ復調部２６に入力される中間周波数信号は、Ａ／Ｄコンバータでディジタル信号に変換され、ＦＦＴ部で実行されるフーリエ変換により複素シンボル列の各サブキャリア成分に変換される。複素シンボル列の各サブキャリア成分は、並直列変換によりシンボル列に変換され、シンボルデマッパにおいてシンボルの変調方式に応じたデータビット列（受信データ）に復号された後、制御部３２に出力される。
【００２７】
サブキャリア制御部２８は、無線信号の送信に用いられるサブキャリアの数が、後述する送信チャネル制御部４０から通知されるサブキャリア数になるよう、ＯＦＤＭ変調部３０を制御する。
【００２８】
ＯＦＤＭ変調部３０は、Ｄ／Ａコンバータ、ＩＦＦＴ（Inverse Fast Fourier Transform：逆高速フーリエ変換）部、およびシンボルマッパを含んで構成される。制御部３２からＯＦＤＭ変調部３０に入力されるデータビット列（送信データ）は、シンボルマッパで複素シンボル列に変換された後、直並列変換によって各サブキャリア成分に分割される。この直並列変換処理は、複素シンボル列のサブキャリア成分の数が、送信チャネル制御部４０から通知されるサブキャリア数と同じになるよう、サブキャリア制御部２８によって制御される。こうして得られた複素シンボル列の各サブキャリア成分は、ＩＦＦＴ部で実行される逆フーリエ変換によってＯＦＤＭシンボルの標本値に変換される。ＯＦＤＭシンボルの標本値は、Ｄ／Ａコンバータでアナログ信号に変換された後、ベースバンドＯＦＤＭ信号（変調信号）として送受信部２２に出力される。このベースバンドＯＦＤＭ信号は、送信チャネル制御部４０から通知されるサブキャリア数と同数のサブキャリアから構成される。
【００２９】
なお、上記サブキャリア制御部２８、ＦＦＴ部、ＩＦＦＴ部、シンボルマッパ、およびシンボルデマッパは、たとえばＤＳＰ（Digital Signal Processor）で構成される。
【００３０】
制御部３２は、たとえばＣＰＵおよびメモリなどで構成され、メモリに格納されるプログラムをＣＰＵが実行することにより移動局１４の各部を制御する機能を有する。特に、制御部３２は、接続要求送信部３４、接続応答検出部３６、再送制御部３８、送信チャネル制御部４０、および送信電力制御部４２を機能的に含む。
【００３１】
接続要求送信部３４は、移動局１４が基地局１２との無線通信を開始する際、基地局１２に対して接続要求信号を送信する（接続要求信号に対応するデータビット列をＯＦＤＭ変調部３０に出力する）。また、接続要求送信部３４は、後述する再送制御部３８の指示に応じて、接続要求信号を再送する。
【００３２】
接続応答検出部３６は、接続要求送信部３４が接続要求信号が送信してから所定時間以内に基地局１２からの接続応答信号が受信されるか否か（接続応答信号に対応するデータビット列がＯＦＤＭ復調部２６から制御部３２に入力されるか否か）を検出する。たとえば、接続応答検出部３６は、接続要求信号が送信されたタイミングでタイマのカウントを開始し、タイマのカウント値が所定値に達する前に接続応答信号が受信されるか否かを判定してもよい。
【００３３】
再送制御部３８は、接続要求信号が送信してから所定時間以内に接続応答信号が受信されない場合に、基地局１２に対する無線信号の送信に用いるサブキャリアの数を減らすよう送信チャネル制御部４０に指示するとともに、サブキャリア数の減少分に対応する電力だけサブキャリア当たりの送信電力を増やすよう送信電力制御部４２に指示する。さらに、再送制御部３８は、接続要求送信部３４に接続要求信号を再送するよう指示する。なお、再送制御部３８は、接続要求送信部３４に接続要求信号を再送させた回数をカウントし、再送回数が所定回数に達した場合に接続要求信号の再送を制限してもよい。
【００３４】
送信チャネル制御部４０は、基地局１２に対する無線信号の送信に用いるＴＣＣＨやＩＣＣＨなどのサブチャネル（送信チャネル）を制御する。本実施形態では、送信チャネルを構成するサブキャリアの数がリンクチャネル確立フェーズにおいて決定される。
【００３５】
まず、送信チャネル制御部４０は、接続要求信号の送信に用いられるＴＣＣＨのサブキャリア数を移動通信システム１０で定められた初期数に設定する（図５（ａ）参照）。そして、接続要求信号を再送することなくリンクチャネル確立が完了すれば、それ以降の無線信号の送信（ＩＣＣＨやＴＣＨなどによる送信）には初期数のサブキャリアが用いられる。
【００３６】
一方、リンクチャネル確立フェーズにおいて接続要求信号が再送されると、送信チャネル制御部４０は、再送制御部３８の指示に応じて、初期数より１以上少ない数をＴＣＣＨの新たなサブキャリア数とし、サブキャリア制御部２８および送信電力制御部４２に通知する（図５（ｂ）参照）。そして、接続要求信号が２回以上再送される場合も同様に、送信チャネル制御部４０は、前回の接続要求信号の送信に用いたサブキャリアの数より１以上少ない数をＴＣＣＨの新たなサブキャリア数としてする。このように、送信チャネル制御部４０は、基地局１２からの接続応答信号が受信されるまで、ＴＣＣＨのサブキャリア数を接続要求信号の送信回数に応じて初期数から徐々に減らしていく。そして、基地局１２からの接続応答信号が受信されると、それ以降の無線信号の送信にはその時点におけるサブキャリア数と同数のサブキャリアが用いられる。
【００３７】
送信電力制御部４２は、基地局１２に対して無線信号を送信する際の送信電力を制御する。特にリンクチャネル確立フェーズにおいてＴＣＣＨのサブキャリア数が減少すると、送信電力制御部４２は、サブキャリアの減少分に対応する電力だけサブキャリア当たりの送信電力が増加するよう新たな送信電力を決定し（図５（ｂ）参照）、決定したサブキャリア当たりの送信電力を送受信部２２に通知する。
【００３８】
なお、送信電力制御部４２は、移動局１４の送信電力上限値を送信チャネル制御部４０から通知されるサブキャリアの数で除算して得られる値をサブキャリア当たりの新たな送信電力としてもよい。こうすれば、送信電力上限値を超えない範囲で、サブキャリア当たりの送信電力を最大化することができる。
【００３９】
このように、接続要求信号を送信してから所定時間以内に基地局１２からの接続応答信号が受信されない場合、移動局１４は、送信チャネルを構成するサブキャリア数を減らすとともにその減少分に対応する電力だけサブキャリア当たりの送信電力を増やして、接続要求信号を再送する。このため、移動局１４の消費電力を増やすことなく、移動局１４から基地局１２に送信される無線信号の到達距離を伸ばすことができる。
【００４０】
図４は、基地局１２の機能ブロック図である。同図に示すように、基地局１２は、アンテナ５０、送受信部５２、ＯＦＤＭ信号処理部５４（ＦＩＲ（Finite Impulse Response）フィルタ５６、ＯＦＤＭ復調部５８、サブキャリア数検出部６０、ＦＩＲフィルタ制御部６２、ＯＦＤＭ変調部６４）、および制御部６６を含んで構成される。
【００４１】
アンテナ５０は、無線信号を受信し、受信した無線信号を送受信部５２に出力する。また、送受信部５２から供給される無線信号を移動局１４に対して放射する。無線信号の受信と送信は、送受信部５２の指示に基づいて時分割で切り替えられる。
【００４２】
送受信部５２は、ローノイズアンプ、パワーアンプ、局部発振器、ミキサ、およびフィルタを含んで構成される。アンテナ５０から入力される無線信号は、ローノイズアンプで増幅され、さらに中間周波数信号にダウンコンバートされた後、ＯＦＤＭ信号処理部５４に出力される。また、ＯＦＤＭ信号処理部５４から入力される中間周波数信号は、無線信号にアップコンバートされ、パワーアンプで送信出力レベルまで増幅された後、アンテナ５０に供給される。
【００４３】
ＯＦＤＭ信号処理部５４は、ＦＩＲフィルタ５６、ＯＦＤＭ復調部５８、サブキャリア数検出部６０、ＦＩＲフィルタ制御部６２、およびＯＦＤＭ変調部６４を含む。
【００４４】
ＦＩＲフィルタ５６は、１つのサブチャネルを構成するサブキャリアの上限数に対応する幅可変の通過帯域を有する帯域通過フィルタである。ＦＩＲフィルタ５６は、送受信部５２から入力される中間周波数信号のうち通過帯域に含まれる信号だけをＯＦＤＭ復調部５８に出力する。ＦＩＲフィルタ５６の通過帯域は、移動局１４の信号が受信信号から分離されるよう、後述するＦＩＲフィルタ制御部６２によって制御される。ただし、移動局１４からの接続要求信号が受信されるまでの間、ＦＩＲフィルタ５６の通過帯域幅は、上記サブキャリアの初期数に対応する帯域幅（以下「初期帯域幅」という）に維持される。
【００４５】
ＯＦＤＭ復調部５８は、Ａ／Ｄコンバータ、ＦＦＴ部、およびシンボルデマッパを含んで構成される。ＦＩＲフィルタ５６から入力される中間周波数信号は、Ａ／Ｄコンバータでディジタル信号に変換され、ＦＦＴ部で実行されるフーリエ変換により複素シンボル列の各サブキャリア成分に変換される。複素シンボル列の各サブキャリア成分は、並直列変換によりシンボル列に変換され、シンボルデマッパにおいてシンボルの変調方式に応じたデータビット列（受信データ）に復号された後、制御部６６に出力される。
【００４６】
サブキャリア数検出部６０は、受信信号に基づいて、接続要求信号の送信に用いられるＴＣＣＨのサブキャリア数を検出する。たとえば、ＴＣＣＨにて移動局１４から最初の無線信号（接続要求信号）が受信された際にＯＦＤＭ復調部５８で取得される当該接続要求信号に係る複素シンボル列の各サブキャリア成分のうち、信号強度が所定値以上であるサブキャリア成分の数をＴＣＣＨのサブキャリア数として検出してもよい。
【００４７】
ＦＩＲフィルタ制御部６２は、ＦＩＲフィルタ５６の制御端子に印加される電圧を変化させることにより、ＦＩＲフィルタ５６の通過帯域幅を制御する。上記のとおり、ＦＩＲフィルタ制御部６２は、移動局１４からの接続要求信号が受信されるまでの間、ＦＩＲフィルタ５６の通過帯域幅を初期帯域幅に維持する（図６（ａ）参照）。
【００４８】
ＴＣＣＨにて移動局１４からの接続要求信号が受信されると、ＦＩＲフィルタ制御部６２は、サブキャリア数検出部６０で検出されたサブキャリア数に応じて、ＦＩＲフィルタ５６の通過帯域幅を変更する。たとえば、受信された接続要求信号が図５（ａ）に示す初期数のサブキャリアを用いて送信されものであれば、ＦＩＲフィルタ制御部６２は、ＦＩＲフィルタ５６の通過帯域幅をそのまま維持する（図６（ａ）参照）。一方、受信された接続要求信号が図５（ｂ）に示すサブキャリアを用いて送信されものであれば、ＦＩＲフィルタ制御部６２は、ＦＩＲフィルタ５６の通過帯域幅を図６（ｂ）に示す通過帯域幅に縮小し、以降、移動局１４から受信される信号に対してはこの通過帯域幅を適用する。これにより、ＦＩＲフィルタ５６を通過する移動局１４の信号に含まれるノイズの割合が減少し、信号の受信品質（たとえば信号対雑音比）が向上する。
【００４９】
次に、移動局１４および基地局１２の動作について説明する。
【００５０】
図７は、移動局１４によって実行される着呼時のリンクチャネル確立処理を示すフロー図である。同図に示すように、移動局１４は、ＰＣＨにて自局宛の呼出信号を基地局１２から受信すると（Ｓ２００）、ＴＣＣＨにより接続要求信号を基地局１２に送信する（Ｓ２０２）。その後、移動局１４は、ＳＣＣＨにて基地局１２からの接続応答信号が受信されるか否かを監視する（Ｓ２０４）。接続要求信号を送信してから所定時間以内に接続応答信号が受信されると（Ｓ２０４：Ｙ）、基地局１２とのリンクチャネル確立が完了する。この場合、移動局１４は、接続応答信号で通知されたＩＣＨ（ＩＣＣＨ）を用いて基地局１２に割当確認信号を送信し（Ｓ２０６）、基地局１２との通信を開始する（Ｓ２０８）。
【００５１】
一方、Ｓ２０２で接続要求信号を送信してから所定時間以内に接続応答信号が受信されなければ、接続要求信号の再送回数が所定回数に達した場合（Ｓ２１０：Ｙ）を除いて、移動局１４は、ＴＣＣＨおよびそれ以降の通信に用いられる送信チャネルのサブキャリア数を１以上減らすとともに（Ｓ２１２）、サブキャリア数の減少分に対応する電力だけサブキャリア当たりの送信電力を増やす（Ｓ２１４）。そして、移動局１４は、ＴＣＣＨにより接続要求信号を基地局１２に再送し（Ｓ２１６）、Ｓ２０４以降の処理を実行する。
【００５２】
図８は、基地局１２によって実行される着呼時のリンクチャネル確立処理を示すフロー図である。同図に示すように、基地局１２はまず、通信エリア内に所在する移動局１４に対して呼出信号をＰＣＨにて一斉送信する（Ｓ３００）。その呼出信号に該当する移動局１４から接続要求信号をＴＣＣＨにより受信すると（Ｓ３０２）、そのＴＣＣＨを構成するサブキャリアの数を検出し、サブキャリア数が移動通信システム１０で定められた初期数と同じであるか否かを判定する（Ｓ３０４）。
【００５３】
ここで、検出されたサブキャリア数が初期数と同じであれば（Ｓ３０４：Ｙ）、基地局１２は、ＦＩＲフィルタ５６の通過帯域幅を変更することなく、ＳＣＣＨを用いて移動局１４にＩＣＨを含む接続応答信号を送信する（Ｓ３０８）。一方、Ｓ３０４で検出されたサブキャリア数が初期数より少なければ（Ｓ３０４：Ｎ）、検出されたサブキャリア数に応じてＦＩＲフィルタ５６の通過帯域幅を縮小した後に（Ｓ３０６）、ＩＣＨを含む接続応答信号を送信する（Ｓ３０８）。その後、ＩＣＨ（ＩＣＣＨ）にて移動局１４からの割当確認信号が受信されると（Ｓ３１０）、基地局１２は、移動局１４との通信を開始する（Ｓ３１２）。
【００５４】
以上説明した移動通信システム１０によれば、移動局１４から基地局１２に送信される無線信号の到達距離（上りリンクバジェット）が改善され、基地局１２の通信エリアを拡大することができる。また、基地局１２における信号の受信品質が向上するため、基地局１２の通信エリアをさらに拡大することができる。
【００５５】
なお、本発明は、上記実施形態に限定されるものではない。たとえば、本発明は、ＴＤＭＡ／ＴＤＤ方式およびＯＦＤＭＡ方式を併用する移動通信システムに限らず、マルチキャリア通信方式を採用する通信システムに広く適用可能である。
【００５６】
また、上記実施形態の説明では特に言及していないが、下り方向（基地局１２から移動局１４に向かう方向）のサブキャリア数は一定および可変のいずれであってもよい。
【図面の簡単な説明】
【００５７】
【図１】本発明の実施形態に係る移動通信システムの全体構成図である。
【図２】本発明の実施形態に係るリンクチャネル確立処理（着呼時）を示すシーケンス図である。
【図３】本発明の実施形態に係る移動局の機能ブロック図である。
【図４】本発明の実施形態に係る基地局の機能ブロック図である。
【図５】変更前および変更後のサブキャリア数およびサブキャリア当たりの送信電力を示す図である。
【図６】変更前および変更後のＦＩＲフィルタの通過帯域幅を示す図である。
【図７】本発明の実施形態に係る移動局によって実行されるリンクチャネル確立処理（着呼時）を示すフロー図である。
【図８】本発明の実施形態に係る基地局によって実行されるリンクチャネル確立処理（着呼時）を示すフロー図である。
【図９】ＯＦＤＭＡ方式を採用する移動通信システムにおけるシステム帯域幅とサブチャネル帯域幅を示す図である。
【符号の説明】
【００５８】
１０  移動通信システム、１２  基地局、１４  移動局、２０，５０  アンテナ、２２，５２  送受信部、２４，５４  ＯＦＤＭ信号処理部、２６，５８  ＯＦＤＭ復調部、２８  サブキャリア制御部、３０，６４  ＯＦＤＭ変調部、３２，６６  制御部、３４  接続要求送信部、３６  接続応答検出部、３８  再送制御部、４０  送信チャネル制御部、４２  送信電力制御部、５６  ＦＩＲフィルタ、６０  サブキャリア数検出部、６２  ＦＩＲフィルタ制御部。
【図１】
0005174490.tif 000002
【図２】
0005174490.tif 000003
【図３】
0005174490.tif 000004
【図４】
0005174490.tif 000005
【図５】
0005174490.tif 000006
【図６】
0005174490.tif 000007
【図７】
0005174490.tif 000008
【図８】
0005174490.tif 000009
【図９】
0005174490.tif 000010